(57)【特許請求の範囲】
【請求項１】
前面に天板と底板との間を延びる蝶番軸に蝶番にて回転自在な回転扉を備えた収納家具において、収納家具は扉の奥にスライド式の収納部を備え、回転扉の開閉に連動して、スライド式の収納部を前後に摺動せしめる連動機構を備え、前記連動機構は回転扉の開放時にスライド式収納部を前進させ、回転扉の閉鎖時にスライド式収納部を後退させ、前記連動機構は一端が回転扉に枢着され、他端がスライド式収納部に枢着されるクランク状連動レバーを備え、前記枢着部の一方にロストモーション機構が構成され、前記ロストモーション機構は前記クランク状連動レバーに形成されるスロットと前記スロットに挿入されるピンとから構成されたことを特徴とする収納家具。
【請求項２】
前面に天板と底板との間を延びる蝶番軸に蝶番にて回転自在な回転扉を備えた収納家具において、前記蝶番軸は両側板間の中間に設けられると共に天板と底板との間を延び、前記蝶番軸の一端は、天板に埋設された金属製スリーブにねじ止めされた金属製の第１の蝶番取付座を介して天板に固定され、前記蝶番軸の他端は、底板に埋設された金属製スリーブにねじ止めされた金属製の第２の蝶番取付座を介して底板に固定され、回転扉の蝶番の筒状部は前記一本の蝶番軸に一連に挿入され、蝶番軸に挿入される蝶番の筒状部は天板と底板との間を延びる一連の端部接合構造の少なくとも一部をなし、前記端部接合構造は下端側では第２の蝶番取付座に直接若しくはワッシャを介して受け止められ、収納家具は扉の奥にスライド式の収納部を備え、回転扉の開閉に連動して、スライド式の収納部を前後に摺動せしめる連動機構を備え、前記連動機構は回転扉の開放時にスライド式収納部を前進させ、回転扉の閉鎖時にスライド式収納部を後退させることを特徴とする収納家具。
【請求項３】
回転自在な左右の回転扉を備えた収納家具において、収納家具の左右の中間において１本設けられ、天板と底板との間を延び、左右の回転扉で共通な蝶番軸を備え、前記蝶番軸の一端は、天板に埋設された金属製スリーブにねじ止めされた金属製の第１の蝶番取付座を介して天板に固定され、前記蝶番軸の他端は、底板に埋設された金属製スリーブにねじ止めされた金属製の第２の蝶番取付座を介して底板に固定され、前記共通蝶番軸にはそれぞれの回転扉のための蝶番の筒状部が挿入され、蝶番軸に挿入される蝶番の筒状部は天板と底板との間を延びる一連の端部接合構造の少なくとも一部をなし、前記端部接合構造は下端側では第２の蝶番取付座に直接若しくはワッシャを介して受け止められ、更に、収納家具は回転扉の奥にスライド式の収納部を備え、扉の回転による扉の開閉に連動して、スライド式の収納部を前後に摺動せしめる連動機構を備え、前記連動機構は回転扉の開放時にスライド式収納部を前進させ、回転扉の閉鎖時にスライド式収納部を後退させることを特徴とする収納家具。
【請求項４】
請求項２若しくは３に記載の発明において、前記連動機構は一端が回転扉に枢着され、他端がスライド式収納部に枢着されるレバーを備え、前記枢着部の一方にロストモーション機構が構成されたことを特徴とする特徴とする収納家具。
【請求項５】
請求項１から４のいずれか一項に記載の発明において、前記扉の裏面には収納部が一体に設けられることを特徴とする特徴とする収納家具。
【請求項６】
請求項１若しくは４に記載の発明において、前記ロストモーション機構を構成するレバーにおけるスロットは中間部に側方に開口する切欠部を有したことを特徴とする収納家具。
【発明の詳細な説明】
【０００１】
【発明の属する技術分野】
この発明は回転式の扉及び収納棚を備えた収納家具に関するものである。
【０００２】
【従来の技術】
収納棚を有した収納家具、例えば、本棚などにおいて収納効率を高めるため収納部を前後の２重構造としたものは公知である。従来技術として２重構造のものは前方の棚を開口幅の半分とし、幅方向にスライド可能としたものが提案されている。この２重構造の本棚では前側の半分幅の棚を適宜にスライドさせることにより、後ろ側の棚の所望部分を開口させ、開口部より収納若しくは取り出しするようにしていた。
【０００３】
【発明が解決しようとする課題】
従来の幅方向にスライドさせる収納家具では奥側の棚に対する本などの物品の収納・取り出しは半分の幅の前側の棚を適宜移動させて奥側の棚へのアクセスを可能とする開口部を形成するようにしていた。そのため、前側の棚は収納家具の幅の半分の部分しか使用できず、収納効率はよくなく、また、前側の棚を移動させたときの開口部により後ろ側の棚に対する物品の収納・取り出しを行うものであるため、操作性は必ずしもよくない部分もあった。
【０００４】
この発明は以上の問題点に鑑みてなされたものであり、収納棚の幅の活用効率を高めつつ物品の収納や引出しを行う際の操作性にも優れた収納家具を提供することを目的とする。
【０００５】
【課題を解決するための手段】
請求項１に記載の発明によれば、前面に天板と底板との間を延びる蝶番軸に蝶番にて回転自在な回転扉を備えた収納家具において、収納家具は扉の奥にスライド式の収納部を備え、回転扉の開閉に連動して、スライド式の収納部を前後に摺動せしめる連動機構を備え、前記連動機構は回転扉の開放時にスライド式収納部を前進させ、回転扉の閉鎖時にスライド式収納部を後退させ、前記連動機構は一端が回転扉に枢着され、他端がスライド式収納部に枢着されるクランク状連動レバーを備え、前記枢着部の一方にロストモーション機構が構成され、前記ロストモーション機構は前記クランク状連動レバーに形成されるスロットと前記スロットに挿入されるピンとから構成されたことを特徴とする収納家具が提供される。
【０００６】
請求項１の発明の作用・効果を説明すると、扉の奥には前後スライド式の収納部が設けられ、連動機構は扉の開放時にスライド式収納部を前進させ、扉の閉鎖時にスライド式収納部を後退させる。扉の開閉に連動して扉の奥のスライド式収納部が前後するため扉の奥の収納部に対する物品の収納時若しくは取り出しを簡便にかつ快適に行うことができる。
【０００７】
請求項２に記載の発明によれば、前面に天板と底板との間を延びる蝶番軸に蝶番にて回転自在な回転扉を備えた収納家具において、前記蝶番軸は両側板間の中間に設けられると共に天板と底板との間を延び、前記蝶番軸の一端は、天板に埋設された金属製スリーブにねじ止めされた金属製の第１の蝶番取付座を介して天板に固定され、前記蝶番軸の他端は、底板に埋設された金属製スリーブにねじ止めされた金属製の第２の蝶番取付座を介して底板に固定され、回転扉の蝶番の筒状部は前記一本の蝶番軸に一連に挿入され、蝶番軸に挿入される蝶番の筒状部は天板と底板との間を延びる一連の端部接合構造の少なくとも一部をなし、前記端部接合構造は下端側では第２の蝶番取付座に直接若しくはワッシャを介して受け止められ、収納家具は扉の奥にスライド式の収納部を備え、回転扉の開閉に連動して、スライド式の収納部を前後に摺動せしめる連動機構を備え、前記連動機構は回転扉の開放時にスライド式収納部を前進させ、回転扉の閉鎖時にスライド式収納部を後退させることを特徴とする収納家具が提供される。
【０００８】
請求項２の発明の作用・効果を説明すると、回転扉の蝶番の筒状部は天板と底板との間を延びる蝶番軸に挿入され、蝶番軸に挿入される蝶番の筒状部は天板と底板との間を延びる一連の端部接合構造の少なくとも一部をなしており、この端部接合構造は天板から底板間を延びる擬似的な１本のパイプのように挙動し、極めて剛性の高い蝶番構造が得られる。そのため、回転扉の回動によるスライド式収納部の前後スライド運動を長期に渡って確実に得ることができる。
【０００９】
請求項３に記載の発明によれば、回転自在な左右の回転扉を備えた収納家具において、収納家具の左右の中間において１本設けられ、天板と底板との間を延び、左右の回転扉で共通な蝶番軸を備え、前記蝶番軸の一端は、天板に埋設された金属製スリーブにねじ止めされた金属製の第１の蝶番取付座を介して天板に固定され、前記蝶番軸の他端は、底板に埋設された金属製スリーブにねじ止めされた金属製の第２の蝶番取付座を介して底板に固定され、前記共通蝶番軸にはそれぞれの回転扉のための蝶番の筒状部が挿入され、蝶番軸に挿入される蝶番の筒状部は天板と底板との間を延びる一連の端部接合構造の少なくとも一部をなし、前記端部接合構造は下端側では第２の蝶番取付座に直接若しくはワッシャを介して受け止められ、更に、収納家具は回転扉の奥にスライド式の収納部を備え、扉の回転による扉の開閉に連動して、スライド式の収納部を前後に摺動せしめる連動機構を備え、前記連動機構は回転扉の開放時にスライド式収納部を前進させ、回転扉の閉鎖時にスライド式収納部を後退させることを特徴とする収納家具が提供される。
【００１０】
請求項３の発明の作用・効果を説明すると、蝶番軸は上端及び下端で天板に埋設された金属製スリーブ（鬼目など）にねじ止めされる金属製の蝶番取付座を介して天板に固定され、かつ著番軸に挿入される一連の蝶番の筒状部により構成され、天板から底板まで延びている端部接合構造は下端側では直接若しくは樹脂製の無給油型ワッシャを介して受け止められる。そのため、蝶番の剛性はより高められ長期に渡って安定した動作を確保することができる。
【００１１】
請求項４に記載の発明によれば、請求項２若しくは３に記載の発明において、前記連動機構は一端が回転扉に枢着され、他端がスライド式収納部に枢着されるレバーを備え、前記枢着部の一方にロストモーション機構が構成されたことを特徴とする特徴とする収納家具が提供される。
【００１２】
請求項４の発明の作用・効果を説明すると、回転扉とスライド式収納部の連動機構にロストモーションを設けることにより回転扉を開けたときのスライド式収納部の移動開始角度を丁度良い角度に設定することができる。
【００１３】
請求項５に記載の発明によれば、請求項１から４のいずれか一項に記載の発明において、前記扉の裏面には収納部が一体に設けられることを特徴とする特徴とする収納家具が提供される。
【００１４】
請求項５の発明の作用・効果を説明すると、回転扉の背面の空間を収納部として有効利用できると共に、天板と底板との間を延びる蝶番軸を設けていることで、蝶番機構の高い剛性が得られ長期に渡って安定な回転動作を得ることができる。
【００１５】
請求項６に記載の発明によれば、請求項１若しくは４に記載の発明において、前記ロストモーション機構を構成するレバーにおけるスロットは中間部に側方に開口する切欠部を有したことを特徴とする収納家具が提供される。
【００１６】
請求項６の発明の作用・効果を説明すると、レバーにおけるスロットは中間部に切欠部を有するためスライド式収納棚との連結用のピンをこの切欠を介して側方よりスロットに入れ込むことができ、収納家具の組み付け工程の簡略化を実現することができる。
【００１７】
【発明の実施の形態】
図１〜図７において、この発明の収納家具は本体１０と、右、左の回転扉１２Ａ，１２Ｂと、回転扉１２Ａ，１２Ｂの奥に位置すスライド式収納部１３Ａ，  １３Ｂとから構成される。本体１０は天板１４と、底板１６と、側板１８と、背板２０とを備えており、前面では開放されており、この開放部が回転扉１２Ａ，１２Ｂにより開閉される。
【００１８】
回転扉１２Ａ，１２Ｂはその裏面側に一体の収納棚２２Ａ，  ２２Ｂを備えており、回転扉１２Ａ，１２Ｂの閉鎖時は収納棚２２Ａ，  ２２Ｂは本体１０内に隠れているが、図１に示すように回転扉１２Ａ，１２Ｂ（図１では右側の回転扉１２Ａが１８０度近く開かれた状態が図示されている）を開くことにより収納棚２２Ａ，  ２２Ｂにアクセス可能となる。
【００１９】
回転扉１２Ａ，１２Ｂを回転せしめる蝶番軸２４（図５）は両側板１８の中間を本体１０の前面において天板１４と底板１６との間を延び、蝶番軸２４の上下両端は後述のように天板１４と底板１６に対して取り付けられる。図１において右側の回転扉１２Ａに上、中、下と３個の蝶番２６Ａが取り付けられた状態が図示される。左側の回転扉１２Ｂについても上、中、下と３個の蝶番２６Ｂ（図２参照）が同様に取り付けられる。図１に示すように右側の回転扉１２Ａの蝶番２６Ａはその板状部において木ネジ２８によって回転扉１２Ａの裏面と一体の収納棚２２Ａの側板に締結されている。そして、蝶番２６Ａはその板状部と一体の筒状部３０Ａを備える。左側の回転扉１２Ｂについても、同様に、蝶番２６Ｂがその板状部にて回転扉１２Ｂの裏面の収納棚２２Ｂの側板において木ネジにより取り付けられる。左側の回転扉１２Ｂの蝶番２６Ｂも一体の筒状部３０Ｂを有しており、これは図１には図示されている。これらの相互に一体の筒状部３０Ａ，  ３０Ｂを備えた蝶番２６Ａ，  ２６Ｂはアルミニュームの押出し成形などにより成形することが可能である。
【００２０】
回転扉１２Ａ，１２Ｂの蝶番２６Ａ，  ２６Ｂの筒状部３０Ａ，  ３０Ｂは蝶番軸２４に一連に挿入される。図１においては、右側の回転扉１２Ａの最下部の蝶番２６Ａの筒状部３０Ａ、次いで、左側の回転扉１２Ｂの最下部の蝶番２６Ｂの筒状部３０Ｂ、次いで、筒状部３０Ａ，  ３０Ｂと同一内外径の補助スリーブ３２、右側の回転扉１２Ａの中間部の蝶番２６Ａの筒状部３０Ａ、次いで、左側の回転扉１２Ｂの中間部の蝶番２６Ｂの筒状部３０Ｂ、次いで、再び補助スリーブ３２、そして、右側の回転扉１２Ａの最上部の蝶番２６Ａの筒状部３０Ａ、最後に、左側の回転扉１２Ｂの最上部の蝶番２６Ｂの筒状部３０Ｂが挿入される。蝶番軸２４へ一連に挿入される筒状部３０Ａ，  ３０Ｂ及び補助スリーブ３２は図５に示すように隣接端面が相互に当接されるようにされ、この端部当接構造は天板１４と底板１６との間を延び、擬似的に１本のパイプをなし、以下説明する蝶番軸２４の上下端の取付け構造とも相俟って蝶番構造の高い剛性が得られる。即ち、図５において、天板１４及び底板１６に蝶番取付座３６，  ３８が固定される。蝶番取付座３６，  ３８を固定するためのビス４０は蝶番取付座３６，  ３８に木ネジ式の埋め込み構造の金属内ねじスリーブ（鬼目とも称される）４４にねじ込まれる構造となっている。また、蝶番軸２４の上下の端部は上下の蝶番取付座３６，  ３８の孔３６−２，  ３８−２を貫通され、  天板１４及び底板１６も貫通され、上側及び下側よりフランジ付ストッパボルト４６，  ４８が蝶番軸２４の上下端のねじ孔に螺合される構造となっている。
【００２１】
筒状部３０Ａ，  ３０Ｂ及び補助スリーブ３２からなる一連の端部当接構造は樹脂製の無給油型ワッシャ４２（例えばオイレス工業株式会社製のオイレスタイプの♯８０若しくは♯８３ワッシャ）を介して下側の蝶番取付座３８上に載置される。必要あればそれぞれの蝶番２６Ａ，  ２６Ｂの筒状部３０Ａ，  ３０Ｂ間の当接面にもワッシャ４２と同様な樹脂製の無給油型ワッシャを介在させることができる。擬似的な１本のパイプを構成するように天板１４と底板１６との間を延びる、筒状部３０Ａ，  ３０Ｂ及び補助スリーブ３２からなる一連の端部当接構造は、蝶番軸２４の上下両端を天板１４及び底板１６に固定される金属製蝶番取付座３６，  ３８にて回転自在に支持し、かつ筒状部３０Ａ，  ３０Ｂ及び補助スリーブ３２からなる一連の端部当接構造を下端で樹脂製の無給油型ワッシャ４２で蝶番取付座３８で受けることと相俟って、極めて剛性の高い蝶番機構を構成し、回転扉１２Ａ，  １２Ｂの背面の棚部１２Ａ，  １２Ｂに載置される物品の相当な重量に係らず、回転扉１２Ａ，  １２Ｂの長期にわたる安定な回転動作を補償しうる。尚、鬼目４４を挿通せしめる蝶番取付座３６，  ３８の開口３６Ａ，  ３６Ｂの内外側の開口３６Ｂは図６に示すように一端が開口したスロット状をなしており、これにより、回転扉１２Ａ，  １２Ｂに背面側の収納部２２Ａ，  ２２Ｂを取付けかつ蝶番２６Ａ，  ２６Ｂを取付けた半組立体を取付座３６，  ３８とともに本体１０に取付けることができ、本発明の収納棚の組立効率を著しく高めることができる。
【００２２】
次に、回転扉１２Ａ，  １２Ｂの回転に連動して、スライド式収納部１３Ａ，  １３Ｂを前後させる構造について説明すると、底板１６の上面にはスライド式収納部１３Ａ，  １３Ｂの前後移動方向（図３の紙面に直交する方向）に延びる一対の溝６０を有し、この溝にステンレスなどの金属製のレール６２が装着される。他方、スライド棚１３Ａ，１３Ｂは下面にそれぞれのレール６２に対向して、紙面に直交方向に離間した一対のベアリングローラ６４を備える。ベアリングローラ６４はスライド棚１３Ａ，  １３Ｂの下面に形成される溝に嵌着されると金属製ブラケット６６に回転自在に設けられる。他方、天板１４の下面にはスライド式収納部１３Ａ，  １３Ｂの前後移動方向（図３の紙面に直交する方向）に延びる一本の溝６８を有する。この溝６８は底板１６上の溝６０の中間に位置する。溝６８にステンレスなどの金属製のガイドレール７０が装着される。そして、スライド棚１３Ａ，  １３Ｂは上面にガイドレール７０に対向して、紙面に直交方向に離間した一対のベアリングローラ７２を備える。ベアリングローラ７２はその軸部がスライド棚１３Ａ，  １３Ｂの上面に木ネジ式に固定される鬼目（金属スリーブ）７３に螺合される。以上述べたようにスライド棚１３Ａ，１３Ｂは底部においてはレール６２上をベアリングローラ６４が転動し、上部においてはベアリングローラ７２によってレール７０に案内されている。そのため、スライド棚１３Ａ，  １３Ｂをスライド式に前後させることができる。
【００２３】
次に、回転扉１２Ａ，  １２Ｂの回転に連動して、スライド式収納部１３Ａ，  １３Ｂを前後させる連動機構について説明すると、クランク状の連動レバー７４は、一端にロストモーションを構成するためのスロット７４Ａを備え、図４に示すように、スロット７４Ａにはピン７６が挿入され、ピン７６の先端はスライド棚１３Ａ，  １３Ｂ  の底板７８に木ネジ式に固定される金属スリーブ８０（鬼目）に螺合される。レバー７４の他端にはピン８２が回転可能に連結され、ピン８２の先端は回転扉１２Ａ，１２Ｂの裏面に一体の収納棚２２Ａ，  ２２Ｂの底板８４の低板の下面に固定される金属製ブラケット８６まで延びている。そのため、レバー７４は一端でスライド式収納部１３Ａ，  １３Ｂ  に対する回転可能連結（枢着）され、他端で回転扉１２Ａ，  １２Ｂに回転可能連結（枢着）され、回転扉１２Ａ，  １２Ｂの回転に連動して、スライド式収納部１３Ａ，  １３Ｂを前後させることができる。即ち、図２（イ）は回転扉１２Ａ，  １２Ｂの閉鎖状態であり、このとき回動レバー７４はそのピン７６がスロット７４Ａの内端に当接した状態にある。回転扉１２Ａ，  １２Ｂ、例えば、右側の回転扉１２Ａを矢印Ａの方向に開くと、回転扉１２Ａは蝶番軸２４の回りで時計方向に回動される。そして、最初はピン７６がスロット７４Ａ内を移動するためスライド棚１３Ａは（イ）に示すように最奥に位置した収納状態を維持する。
【００２４】
回転扉１２Ａ，  １２Ｂ、例えば、右側の回転扉１２Ａが（ロ）の角度位置まで開放されるとピン７６は反対側の端部においてスロット７４Ａに当接するに至る。すると、回転扉１２Ａの更なる開放に対してピン７６はもはやスロット７４Ａに対して摺動しえず、回転扉１２Ａの開放に従ってスライド式収納部１３Ａはレール６０，  ６８（図３）上を矢印Ｂ方向に前進する。そして、回転扉１２Ａの最大開放位置（図の実施例では想像線２２Ａ’にて示す１８０度開放位置）においてスライド式収納部は想像線１３Ａ’にて示すように本体１０の前面開口と面一となるように引き出される。
【００２５】
図７及び図８には回転扉１２Ａのフリー端面に設けた取手構造を示す。尚、取手構造は回転扉１２Ｂについても対称になるだけで同様であるため説明は省略する。この実施形態において、回転扉１２Ａのフリー端面にはアルミニュームなどの軽金属製の型材よりなる取手９０（図２も参照）が取付けられる。即ち、取手９０は図８に示す断面形状の押出し成形などにより得られるがアルミニューム製型材を回転扉１２Ａの高さで切断して構成される。即ち、アルミニューム型材はその横断面において底壁部９２（ハンドリング向上のため端部９２Ａは丸みを帯びている）と底壁部９２の中央よりやや左側から直交して直立する直立壁部９４とを備え、直立壁部９４は自由端９４´では半円形状に曲折される。半円形断面の曲折部９４´から離間側における底壁部９２と直立壁部９４とのコーナーに回転扉１２Ａ，  １２Ｂのフリー縁部が当てられ、図示しない木ネジなどにより取手９０は回転扉１２Ａ，  １２Ｂが行われる。そして、取手９０の半円形断面の曲折部９４´に指をかけ、引き出すことにより回転扉１２Ａ，  １２Ｂの開放を行うことができる。
【００２６】
図９はこの発明の第２の実施形態の収納家具を示している。この実施形態においても回転扉１２Ａの開閉に連動してスライド式収納部１３Ａが前後に移動されるのは同様である。簡明のため回転扉及びスライド式収納部は右側１２Ａ，  １３Ａのみ図示され、左側の回転扉及びスライド式収納部は図示を省略している。この実施形態は収納棚２２Ａを蝶番軸に対して回動自在とする蝶番２６Ａ及び回転扉をスライド収納部１３Ａに連結する連動レバー７４の構造が第１の実施形態と幾分相違する。先ず、蝶番２６Ａの相違点について説明すると、蝶番２６Ａは図１０及び図１１に示すようにアルミニューム若しくはアルミニューム合金の押出し品である。ビス２８の挿入のため第１の実施形態における単純な孔の代りに一対の離間した一端開放スロット２６−１を備えている。２６−２は蝶番軸の挿通孔である。スロット２６−１は入口では巾が幾分テーパ状に拡開されている。図９に示す蝶番軸への組み付け状態ではスロット２６−１は上端が開放しており、他方、ビス２８は収納棚２２Ａの側壁に装着されている。図１２に示すようにビス２８の頭部２８−１は幾分隙間を持たせられており、換言すれば、ビス２８の頭部２８−１は浮いた状態となっている。この状態において隙間の部分におけるビス２８の軸部分を蝶番２６Ａの上端開放スロット２６−１に導くことにより、収納棚２２Ａを落とし込むように組み立てることができる。その後、ビス２８を締結することにより収納棚（換言すれば回転扉）の蝶番式の取り付けが完了する。このように蝶番におけるビス孔２６−１を一端開放スロット状に構成することにより収納棚の組み立て工程の単純化を図ることができる。
【００２７】
次に第２の相違点である連動レバー７４の構成について説明すると、この第２の実施形態でも図１３に示すようにブーメラン形状をなし、一端にピン８２の挿通用の円形開口７４Ｂを備えている。第１の実施形態と相違しピン７６の挿通用のスロットは７４Ａ，  ７４Ａ’のように二つ設けられている。この実施形態では奥行きの異なる収納棚について同一形状の連動レバー７４を使用することを意図しており、この場合においてはスライド収納棚１３Ａ，  １３Ｂの移動量（換言すればロストモーションの大きさ）が大小変化するため、いずれの奥行きの収納棚であっても連動レバー７４を共用できるように２種類のスロット７４Ａ，  ７４Ａ’を設けている。そして、スロット７４Ａ，  ７４Ａ’は第１の実施形態のスロットとの相違点として切欠部７４−１，  ７４−１’を中間部に設けており、その結果スロット７４Ａ，  ７４Ａ’は片側縁において外部開放構造を呈している。スロット７４Ａ，  ７４Ａ’がその中間部において切欠部７４−１，  ７４−１’により外部開放構造となっている結果、収納棚の組み立て時にスライド式収納棚１３Ａ，  １３Ｂに対するレバー７４の装着が簡単となる。即ち、スライド式収納棚１３Ａ，  １３Ｂ（図４参照）の底面に対してピン７６を予め取り付けておき、図１２と同様にピン７６の頭部の部位に形成する隙間の部位において切欠部７４−１，  ７４−１’を介してピン７６をスロット７４Ａ，  ７４Ａ’に横方向より入れ込むことができる。このような側縁開放構造のスロット７４Ａ，  ７４Ａ’によってスライド式収納棚１３Ａ，  １３Ｂに対する連動レバー７４の組み付け工程を簡略化することができる効果がある。
【図面の簡単な説明】
【図１】図１はこの発明の収納家具の斜視図である。
【図２】図２は図１の実施形態の収納家具の水平断面図であり、（イ）は回転扉の閉鎖状態を示し、（ロ）はスライド式収納棚が手前に向けての移動を開始する位置まで回転扉が開かれた状態を示す。
【図３】図３は図１の収納家具における収納家具の直立状態での模式的断面図である。
【図４】図４は図２のＩＶ−ＩＶ線に沿って表され、連動機構を構成するクランクレバーの枢着構造を示す断面図である。
【図５】図５は図１の実施形態の収納家具において蝶番軸の直立断面図を示し、蝶番軸の上下端の蝶番取付座による回転支持構造を示している。
【図６】図６は蝶番取付座の平面図である。
【図７】図７は回転扉の部分正面図である。
【図８】図８は図７のＸＩＩＩ−ＸＩＩＩ線に沿って表される矢視断面図である。
【図９】図９はこの発明の第２の実施形態の収納家具の分解状態の斜視図である。
【図１０】図１０は図９の収納家具における蝶番の上面図である。
【図１１】図１１は図１０の蝶番の側面図である。
【図１２】図１２は図９のＸＩＩ−ＸＩＩ線に沿って表される断面図である。
【図１３】図１３は図９の収納家具における連動レバーの平面図である。
【符号の説明】
１０…本体
１２Ａ，１２Ｂ…回転扉
１３Ａ，  １３Ｂ  …スライド式収納部
２２Ａ，  ２２Ｂ…収納棚
２４…蝶番軸
２６Ａ，  ２６Ｂ…蝶番
３０Ａ，  ３０Ｂ…筒状部
３２…補助スリーブ
３６，  ３８…蝶番取付座
４２…ワッシャ
６０，  ６８…スライド溝
６２…レール
６４，  ７２…ベアリングローラ
７４…連動レバー
７４Ａ…スロット
９０…アルミニューム製取手
【図１】
0003544374.tif 000002
【図２】
0003544374.tif 000003
【図３】
0003544374.tif 000004
【図４】
0003544374.tif 000005
【図５】
0003544374.tif 000006
【図６】
0003544374.tif 000007
【図７】
0003544374.tif 000008
【図８】
0003544374.tif 000009
【図９】
0003544374.tif 000010
【図１０】
0003544374.tif 000011
【図１１】
0003544374.tif 000012
【図１２】
0003544374.tif 000013
【図１３】
0003544374.tif 000014